(57)【要約】【課題】男子、女子などの便器の種類によって異なる足載置シートを、すべての種類の便器に使用でき、かつ男女関係なく安価量産を可能とした便器用足載置シートの提供。【解決手段】便器Ｔの床面に載置添接されて使用者の両脚の使用位置を表示する左右一対の足載置シート１であって、足型形状のシート本体は、芯材には合成紙２を中心に配設し、表面側には模様などの印刷面を設け、さらにエンボス加工した塩ビラミネート層４を形成すると共に、裏面側には両面粘着シートの片方の剥離片の剥離による粘着層５を形成し、使用時、剥離片６を剥離して床面上に左右一対添着させることができるようにした便器用足載置シート。【選択図】図１
0003137601.tif 000002
【実用新案登録請求の範囲】
【請求項１】
便器の床面に載置添接されて使用者の両脚の使用位置を表示する左右一対の足載置シートであって、足型形状のシート本体は、芯材には合成紙を中心に配設し、表面側には模様などの印刷面を設け、さらにエンボス加工した塩ビラミネート層を形成すると共に、裏面側には両面粘着シートの片方の剥離片の剥離による粘着層を形成し、使用時、剥離片を剥離して床面上に左右一対添着させることができるようにした便器用足載置シート。
【請求項２】
足型形状のシート本体は、左右一対の対称形状の異なる外側形状として成ることを特徴とする請求項１記載の便器用足載置シート。
【請求項３】
足型形のシート本体は、左右のまたは上下対称の足型形状とし、左右同一の外形形状として成ることを特徴とする請求項１記載の便器用足載置シート。
【考案の詳細な説明】
【技術分野】
【０００１】
本考案は、家庭は勿論のこと、公衆トイレでも男女使用可能な単一構成の簡易構成の便器用足載置シートに関する。
【背景技術】
【０００２】
一般に、トイレの便器周囲の尿もれなどを防ぐ目的で、足の位置を適正箇所に添設形成したものが知られている。
【０００３】
また、身体を便器側に傾斜させて、男子用の便器前に配設するものは、前傾状態が確保できるようにした傾斜状のシート板を設けたものも知られている（例えば、特許文献１参照）。
【特許文献１】特開２００３−４７５７６号公報
【考案の開示】
【考案が解決しようとする課題】
【０００４】
上記の特許文献１は、前項構成のものであって、主として男子用の便器を対象としたものであり、あらゆる種類の便器や男女いずれにも適用することはできないという不都合があった。
【０００５】
本考案は、叙上の点に着目して成されたもので、あらゆる種類の便器、特に男子用だけの便器でなく洋式便器や和式便器など種類の如何を問わずすべてに適用でき、しかも左右一対の足載置シートは左右対称のもの、または左右同一の形状、構成のもので廉価量産できて、この対称または同一の構成のシート本体の二個を用いて、下面に設けた粘着剤を用いて床面に配置できるようにした便器用足載置シートを提供することを目的とする。
【課題を解決するための手段】
【０００６】
本考案は、以下の構成を備えることにより、上記課題解決できるものである。
【０００７】
（１）便器の床面に載置添接されて使用者の両脚の使用位置を表示する左右一対の足載置シートであって、足型形状のシート本体は、芯材には合成紙を中心に配設し、表面側には模様などの印刷面を設け、さらにエンボス加工した塩ビラミネート層を形成すると共に、裏面側には両面粘着シートの片方の剥離片の剥離による粘着層を形成し、使用時、剥離片を剥離して床面上に左右一対添着させることができるようにした便器用足載置シート。
【０００８】
（２）足型形状のシート本体は、左右一対の対称形状の異なる外側形状として成ることを特徴とする前記（１）記載の便器用足載置シート。
【０００９】
（３）足型形のシート本体は、左右のまたは上下対称の足型形状とし、左右同一の外形形状として成ることを特徴とする前記（１）記載の便器用足載置シート。
【考案の効果】
【００１０】
本考案によれば、便器の足載置位置には、人の両足の位置決めが必要であるので、１つの便器に対して左右の足の２枚の載置シートが必要であるが、この２枚一組の載置シートは左右対称のもの、または左右同一のものを用いて、あらゆる便器に使用できる。特にシート本体は、その芯材には合成紙を用いて表面での印刷模様の加工が容易であり、その表面にはエンボス加工の塩ビラミネート層を形成しているので、耐水効果に優れると共に、足の滑りの防止に役立つ上に裏面の粘着剤による便器周りの床面での添接が誰でも簡単に行える。
【００１１】
しかも粘着剤は、その都度剥離片を剥がして所定の位置に添接できるので、簡単、迅速に便器の近傍に反覆使用でき、しかも廉価量産でき、トイレ掃除の作業も効率よく行え、常にトイレの環境を清潔に綺麗に確保できる。特に、使用頻度の高いハイウエイとかデパートなどの公衆便所の衛生状態確保に好適である。
【考案を実施するための最良の形態】
【００１２】
以下に、本考案の一実施例を図面と共に説明する。
【実施例】
【００１３】
図面において、１は合成樹脂で成形される好みの厚さに足載置シート本体であって、芯材には合成紙２を配設し、その表面には足型、文字、図形などの好みの印刷面３を設け、外表面にはエンボス加工αを施した透明な塩ビラミネート層４を形成する。５は足載置シート本体１の裏面に設けた粘着層であって、両面粘着シートの片方の剥離片を剥取して足載置シート本体１の下面に添接し、使用時、他方の剥離片６を剥取して便器周りの床面に添接するものである。
【００１４】
ところで、図２は図１の構成の足載置シート本体１を左右対称にして構成され、また、図３（ａ）にあっては、縦方向の中心線Ｏ−Ｏに対して左右対称の逆ひょうたん形を備えて成形し、また図３（ｂ）にあっては横方向の中心線Ｐ−Ｐに対して上下同一の小判型を備えて成形して、全体として足に擬した形状としてある。したがって、この足載置シート本体１は、その儘、図１に示す印刷面を含めて左右側の一対の足載置シートとして使用できる。
【００１５】
上述の構成に成るので、必要な便器Ｔに対して男性用または婦人用を問わず、人間の両脚の載置箇所に足載置シート本体１の裏側の剥離片６を剥取して粘着層５を床面上に添接して使用に供する（図４（ａ），（ｂ）参照）。
【００１６】
したがって、家庭は勿論のこと公衆トイレなどのあらゆる便器Ｔに対して使用できると共に、全体が合成樹脂で形成され、かつ薄層に形成できるので、取り扱いが簡便である。
【００１７】
そして耐水性に優れ、洗水などのトイレ掃除にも不自由なく作業できると共に、汚損した場合も粘着層４を床面より剥取して新品と交換できるなどの効果を有する。
【００１８】
なお、足載置シート本体１の内部構成は、柔軟構成として好みの厚さを保持させる。
【００１９】
叙上の構成に成るので、左右一対で使用される足載置シート本体１は、左右対称のもの、または左右の別なく同一の構成のものを量産し、そのうちの二本を用いてあらゆる便器Ｔの足載置位置に剥離片２を剥取して簡単に配設できる。
【００２０】
足載置シート本体１の配置箇所に、使用者の男女を問わず正しく足位置を定めて用便すれば、尿もれなどの不都合は回避して清潔に保つことができる。足載置シート本体１は合成樹脂製であるので、撥水性を有し汚れた場合には、水洗などにより常に美麗にすることができる。
【００２１】
なお、床面を清掃する場合、必要に応じて足載置シート本体１を剥取することもできるので邪魔にならず、しかも床面清掃後に再び粘着剤４によって足載置シート本体１を床面上に添接配設できる。
【００２２】
本考案によれば、左右一対で使用する足載置シート本体１は左右対称のもの、または同一の形状、大きさの共通した足載置シート本体１を量産するだけで、単に二枚一組の足載置シート本体１としてあらゆる構成の便器に対して使用できるので、きわめて安価に提供でき、量産を可能にできる。
【図面の簡単な説明】
【００２３】
【図１】便器に使用する足載置シートの断面図で、一部を拡大して示す。
【図２】図１の構成を示す足載置シートの一対の平面図
【図３】（ａ），（ｂ）は足載置シート本体の他の２例を示す平面図
【図４】（ａ），（ｂ）は足載置シート本体の使用状態の２例を示す平面図
【符号の説明】
【００２４】
１    足載置シート本体
２    合成紙
３    印刷面
４    エンボス加工αを施した塩ビラミネート層
５    粘着層
６    剥離片
Ｔ    便器
【図１】
0003137601.tif 000003
【図２】
0003137601.tif 000004
【図３】
0003137601.tif 000005
【図４】
0003137601.tif 000006